(57)【要約】【課題】  他のペット小屋を含む被載置物を水平状態に積み上げて良好に載置できること。【解決手段】  底面部１４から一対の側面部１７が互いに対向して立設されると共に、当該底面部から正面部１５及び背面部１６が互いに対向し且つ側面部に隣接して立設された箱体１１と、傾斜した屋根面部１８を備えると共に箱体の上部開口を覆う屋根体１２とを有し、箱体の正面部に出入開口１９が設けられたペット小屋１０において、上記屋根体１２では、最も高い位置にある屋根頂部４４と、屋根面部１８に突設された模擬煙突体１３の頂部４６とが同一高さに設定され、当該屋根体１２が、箱体の正面部、背面部、側面部のそれぞれに連設された接触片に面接触して、これらの正面部、背面部及び側面部に支持されたものである。【選択図】            図１
0003102870.tif 000002
【実用新案登録請求の範囲】
【請求項１】
少なくとも、底面部から一対の側面部が互いに対向して立設されると共に前記底面部から正面部及び背面部が互いに対向し且つ前記側面部に隣接して立設される箱体と、屋根面部を有すると共に前記箱体の上部開口を覆う屋根体とを備え、前記正面部に出入開口を有するペット小屋において、
前記屋根体の最も高い位置にある屋根頂部と、前記屋根面部に突設された突出部材の頂部とを同一の高さに設定したことを特徴とするペット小屋。
【請求項２】
前記屋根体は、直線状の屋根頂部を有し、前記屋根頂部から傾斜可能な２つの屋根面部が連設される構成としたことを特徴とする請求項１に記載のペット小屋。
【請求項３】
前記正面部、背面部及び側面部は、接触片が連設され、前記屋根体が前記接触片に面接触して前記正面部、背面部及び側面部により支持可能な構成としたことを特徴とする請求項１又は請求項２に記載のペット小屋。
【請求項４】
前記屋根体は、対向する位置に係止部を介して係止片が連設され、前記各係止部が内側に折り曲げられ、前記各係止片が正面部及び背面部に係止可能な構成としたことを特徴とする請求項１乃至請求項３のうち、いずれか１に記載のペット小屋。
【請求項５】
前記正面部及び背面部は、これらに隣接する前記側面部と接触片付近において、結合片を介して互いに結合可能な構成としたことを特徴とする請求項１乃至請求項４のうち、いずれか１に記載のペット小屋。
【請求項６】
前記正面部は、前記出入開口の周囲に、補強部材を接着したことを特徴とする請求項１乃至請求項５のうち、いずれか１に記載のペット小屋。
【請求項７】
前記屋根体の屋根頂部は、水平な平坦面に構成したことを特徴とする請求項１乃至請求項６のうち、いずれか１に記載のペット小屋。
【請求項８】
前記突出部材は、前記屋根面部の屋根頂部に対抗する辺近傍に突設したことを特徴とする請求項１乃至請求項７に記載のうち、いずれか１に記載のペット小屋。
【請求項９】
前記突出部材は、前記屋根面部の屋根頂部と平行方向の長さの略中点に突設したことを特徴とする請求項１乃至請求項８に記載のうち、いずれか１に記載のペット小屋。
【請求項１０】
前記屋根体には、屋根頂部に対し片側の屋根面部に複数の突出部材が突設されたことを特徴とする請求項１乃至請求項９のうち、いずれか１に記載のペット小屋。
【請求項１１】
前記屋根体には、屋根頂部を挟む両側の屋根面部に突出部材がそれぞれ突設されたことを特徴とする請求項１乃至請求項１０のうち、いずれか１に記載のペット小屋。
【請求項１２】
少なくとも、底面部から一対の側面部が互いに対向して立設されると共に前記底面部から正面部及び背面部が互いに対向し且つ前記側面部に隣接して立設される箱体と、屋根面部を有すると共に前記箱体の上部開口を覆う屋根体とを備え、前記正面部に出入開口を有するペット小屋であって、
前記屋根面部に突設された突出部材を有し、前記底面部には、前記屋根体の最も高い位置にある屋根頂部と前記突出部材との高低差と同一の高さでなる脚部を設けたことを特徴とするペット小屋。
【考案の詳細な説明】
【技術分野】
【０００１】
本考案は、犬や猫などの小動物を飼育するためのペット小屋に関する。
【背景技術】
【０００２】
犬や猫などのペットを飼育するペット小屋は、一般には組立済みの木製またはプラスチック製のものが使用されているが、特に屋内に設置されるペット小屋については、特許文献１に記載のように、段ボール製のものが提案されている。
【０００３】
【特許文献１】実用新案登録第３０５３７３３号公報
【考案の開示】
【考案が解決しようとする課題】
【０００４】
ところが、上記特許文献１に記載のペット小屋では、販売店などにおいて組立されたペット小屋同士を安定して積み上げたり、またユーザーがペット小屋の上にペットベッドなどの被載置物を載置できる構成ではないため、販売店におけるペット小屋の販売スペースが増大したり、ユーザーがペット小屋の上部空間を有効に利用できないなどの課題がある。
【０００５】
本考案の目的は、前記の事情を考慮してなされたものであり、他のペット小屋を含む被載置物を水平状態に積み上げて良好に載置できるペット小屋を提供することにある。
【課題を解決するための手段】
【０００６】
請求項１に記載の考案は、少なくとも、底面部から一対の側面部が互いに対向して立設されると共に前記底面部から正面部及び背面部が互いに対向し且つ前記側面部に隣接して立設される箱体と、屋根面部を有すると共に前記箱体の上部開口を覆う屋根体とを備え、前記正面部に出入開口を有するペット小屋において、前記屋根体の最も高い位置にある屋根頂部と、前記屋根面部に突設された突出部材の頂部とを同一の高さに設定したことを特徴とする。また、請求項２に記載の考案は、前記屋根体は、直線状の屋根頂部を有し、前記屋根頂部から傾斜可能な２つの屋根面部が連設される構成としたことを特徴とする。また、請求項３に記載の考案は、前記正面部、背面部及び側面部は、接触片が連設され、前記屋根体が前記接触片に面接触して前記正面部、背面部及び側面部により支持可能な構成としたことを特徴とする。また、請求項４に記載の考案は、前記屋根体は、対向する位置に係止部を介して係止片が連設され、前記各係止部が内側に折り曲げられ、前記各係止片が正面部及び背面部に係止可能な構成としたことを特徴とする。また、請求項５に記載の考案は、前記正面部及び背面部は、これらに隣接する前記側面部と接触片付近において、結合片を介して互いに結合可能な構成としたことを特徴とする。また、請求項６に記載の考案は、前記正面部は、前記出入開口の周囲に、補強部材を接着したことを特徴とする。また、請求項７に記載の考案は、前記屋根体の屋根頂部は、水平な平坦面に構成したことを特徴とする。また、請求項８に記載の考案は、前記突出部材は、前記屋根面部の屋根頂部に対抗する辺近傍に突設したことを特徴とする。また、請求項９に記載の考案は、前記突出部材は、前記屋根面部の屋根頂部と平行方向の長さの略中点に突設したことを特徴とする。また、請求項１０に記載の考案は、前記屋根体には、屋根頂部に対し片側の屋根面部に複数の突出部材が突設されたことを特徴とする。また、請求項１１に記載の考案は、前記屋根体には、屋根頂部を挟む両側の屋根面部に突出部材がそれぞれ突設されたことを特徴とする。また、請求項１２に記載の考案は、少なくとも、底面部から一対の側面部が互いに対向して立設されると共に前記底面部から正面部及び背面部が互いに対向し且つ前記側面部に隣接して立設される箱体と、屋根面部を有すると共に前記箱体の上部開口を覆う屋根体とを備え、前記正面部に出入開口を有するペット小屋であって、前記屋根面部に突設された突出部材を有し、前記底面部には、前記屋根体の最も高い位置にある屋根頂部と前記突出部材との高低差と同一の高さでなる脚部を設けたことを特徴とする。
【考案の効果】
【０００７】
請求項１に記載の考案によれば、屋根体では、最も高い位置にある屋根頂部と、屋根面部に突設された突出部材の頂部とを同一高さに設定したことから、これらの屋根頂部と突出部材の頂部とによって、被載置部を少なくとも２箇所で支持できるので、他のペット小屋を含む被載置部を水平状態に積み上げて良好に載置でき、ペット小屋の上部空間を有効に利用することができる。
【０００８】
また、請求項２に記載の考案によれば、前記屋根頂部は直線状に設けたことから、被載置部をさらに安定よく積み上げて載置することができる。
【０００９】
また、請求項３に記載の考案によれば、箱体の正面部、背面部、側面部のそれぞれに接触片を連設したことから、この接触片が正面部、背面部、側面部に対し折り曲げられて存在することによって、これらの正面部、背面部及び側面部の接触片近傍部分は、その強度が増大する。この結果、屋根体に載置された被載置物の荷重が、前記屋根体を介して箱体の正面部、背面部、側面部に作用したときに、これらの正面部、背面部及び側面部に撓みや座屈等の変形が生ずることを防止できる。また、箱体の正面部、背面部、側面部のそれぞれに接触片を連設し、屋根体がこれらの接触片に面接触して正面部、背面部及び側面部に支持可能であることから、屋根体に載置された被載置物の荷重が上記面接触により、箱体の正面部、背面部、側面部にそれぞれ均一に作用するので、これらの正面部、背面部及び側面部に撓みや座屈等の変形が発生することを確実に防止できる。
【００１０】
また、請求項４に記載の考案によれば、屋根体の互いに対向する位置に設けられた各係止片が箱体の正面部、背面部のそれぞれに係止可能であることから、屋根体の箱体に対する水平方向の位置ずれや浮上りを防止できる。また、屋根体の互いに対向する位置に設けられた各係止部が内側に折り曲げられ、各係止片が箱体の正面部、背面部のそれぞれに係止されることから、この折り曲げられた係止部により屋根体が厚く見えるので、ペット小屋を正面部側または背面部側から目視したときの外観を向上させることができる。
【００１１】
また、請求項５に記載の考案によれば、箱体における正面部及び背面部とこれらに隣接する側面部とが、接触片付近において、結合片を介して互いに結合可能であることから、箱体の強度（剛性）を高めることができると共に、正面部、背面部、側面部にそれぞれ連設した接触片を略面一状態に保持できる。接触片が略面一状態に保持されるので、接触片による屋根体の面接触を良好に確保できる。
【００１２】
また、箱体の正面部は出入開口の存在により強度が低下するが、請求項６に記載の考案によれば、この正面部における出入開口の周囲に補強部材を接着したことから当該正面部の強度が増大して、屋根体に載置される被載置物の荷重が当該屋根体を介して正面部に作用したときにも、この正面部の変形を防止できる。
【００１３】
また、請求項７に記載の考案によれば、屋根体の屋根頂部が水平な平坦面に設けられたことから、被載置物を突出部材の頂部と、水平な平坦面形状の上記屋根頂部とで支持できるので、被載置物を安定して良好に載置できる。
【００１４】
また、請求項８に記載の考案によれば、突出部材を、屋根面部の屋根頂部に対抗する辺近傍に突設したことによって、屋根頂部と突出部材の頂部との距離を十分に確保できるので、屋根体に載置される被載置物をさらに安定よく良好に載置できる。
【００１５】
また、請求項９に記載の考案によれば、突出部材を、屋根面部の屋根頂部と平行方向の長さの略中点に突設したことによって、屋根体に載置される被載置物を、前後左右にバランスよく屋根頂部と複数の突出部材の頂部とにより支持できるので、被載置物をさらに安定よく良好に載置できる。
【００１６】
また、請求項１０に記載の考案によれば、屋根体には、屋根頂部に対し片側の屋根面部に複数の突出部材を突設したことから、この屋根体に載置される被載置物を、屋根頂部と複数の突出部材の頂部とにより支持できるので、被載置物を安定して良好に載置できる。
【００１７】
また、請求項１１に記載の考案によれば、屋根体には、屋根頂部を挟む両側の屋根面部に突出部材が突設されたことから、この屋根体に載置される被載置物を、屋根頂部と複数の突出部材の頂部とにより支持できるので、被載置物を安定して良好に載置できる。
【００１８】
また、請求項１２に記載の考案によれば、底面部に、前記屋根頂部と前記突出部材との高低差と同一の高さでなる脚部を設けたことから、本考案と同一のペット小屋を水平状態に積み上げて良好に載置でき、ペット小屋の上部空間を有効に利用することができる。
【考案を実施するための最良の形態】
【００１９】
以下、本考案を実施するための最良の形態について、図面を参照して説明する。
［Ａ］第１の実施の形態（図１〜図１１）
図１は、本考案に係るペット小屋の第１の実施の形態を示す図であり、（Ａ）が正面図、（Ｂ）が他のペット小屋を積み重ねて載置した状態を示す正面図、（Ｃ）がペットベッドなどを積み重ねて載置した状態を示す正面図である。図２は、図１のペット小屋を示す斜視図である。
【００２０】
図１（Ａ）及び図２に示すペット小屋１０は、底面部１４、正面部１５、背面部１６及び一対の側面部１７を備えた箱体１１と、屋根面部１８を備えた屋根体１２と、突出部材としての模擬煙突体１３とを有する。上記正面部１５に、ペットがペット小屋１０へ出入するための出入開口１９が設けられる。なお、材料としては、段ボール製などの厚紙が好適であるが、プラスチック、木、スチールその他の材料で構成しても良い。
【００２１】
上記箱体１１は、図３に示すように、底面部１４の両側に連設された一対の側面部１７を備えてなる本体２０と、図４に示すように正面部１５を備える正面板２１と、図５に示すように背面部１６を備える背面板２２とが、図８及び図９に示すように折り曲げられ、互いに組み付けられることにより構成される。
【００２２】
つまり、図３に示す本体２０では、四角形状の底面部１４の両側（図３の左右の両側）に、四角形状の側面部１７が折れ線２３を介して連設され、これらの側面部１７の外側に折れ線２３を介して接触片２４が連設される。底面部１４及び側面部１７には、図３における上下の辺に折曲片２５が折り曲げ可能に連設される。側面部１７と接触片２４との境界の折れ線２３には、その両側に結合用スリット２６が設けられる。また、底面部１４と折曲片２５との境界に差込用スリット２７が、側面部１７と折曲片２５との間に差込用スリット２８がそれぞれ設けられる。
【００２３】
図８に示すように、それぞれの折曲片２５を内側に折り曲げ、側面部１７を折れ線２３を用いて内側に折り曲げることにより、一対の側面部１７が互いに対向して底面部１４から立設される。
【００２４】
図４に示す正面板２１では、正面部１５は、上辺が山形の切妻形状（五角形状）に設けられ、この正面部１５の山形形状の上記上辺のそれぞれに、接触片２９が折り曲げ可能に連設される。また、正面部１５の下辺に差込片３０が、両側辺に差込片３１がそれぞれ折り曲げ可能に連設される。また、正面部１５では、上記接触片２９に接近した位置に、正面部１５の上辺に沿って延びる係止用スリット３３が設けられている。
【００２５】
正面部１５には、その中央位置に前記出入開口１９が設けられ、この出入開口１９の周囲に補強部材３４が接着される。この補強部材３４により正面部１５の剛性が高められる。また、各接触片２９には、それらの外側に結合片３５が折り曲げ可能に連設される。
【００２６】
図５に示す背面板２２では、背面部１６は、正面部１５と同様に、上辺が山形形状の切妻形状（五角形状）に設けられ、この背面部１６の山形形状の上記上辺のそれぞれに、接触片３６が折り曲げ可能に連設される。また、背面部１６の下辺に差込片３７が、両側辺に差込片３８がそれぞれ折り曲げ可能に連設される。また、背面部１６では、上記接触片３６に接近した位置に、背面部１６の上辺に沿って延びる係止用スリット３９が設けられる。また、各接触片３６には、それらの外側に結合片４０が折り曲げ可能に連設される。
【００２７】
図８に示すように、正面板２１の差込片３０及び３１を内側に折り曲げ、差込片３０を本体２０の差込用スリット２７に差し込み、正面板２１の差込片３１を本体２０の差込用スリット２８に差し込む。また、背面板２２の差込片３７及び３８を内側に折り曲げ、差込片３７を本体２０の差込用スリット２７に差し込み、背面板２２の差込片３８を本体２０の差込用スリット２８に差し込む。このようにして、正面部１５及び背面部１６は、図９に示すように、互いに対向して底面部１４から立設されると共に側面部１７に隣接し、この隣接した側面部１７に結合される。このようにして、上部開口を有する箱体１１が構成される。
【００２８】
この箱体１１では、更に、接触片２４が側面部１７に対し折れ線２３を用いて内側に折り曲げられ、接触片２９が正面部１５に対して、また、接触片３６が背面部１６に対し、それぞれ内側に折り曲げられる。これらの接触片２９及び３６が折り曲げられる際に、接触片２９の結合片３５と接触片３６の結合片４０とが、側面部１７の結合用スリット２６に差し込まれる。これにより、正面部１５及び背面部１６と側面部１７とは、接触片２４、２９及び３６付近において、結合片３５及び４０を用いて結合される。この結合状態で、接触片２９及び３６は接触片２４に上方から接触し、これら接触片２９及び３６と接触片２４とが略面一状態に保持される。このようにして、箱体１１が、図１０に示すように完成される。
【００２９】
一方、前記屋根体１２は、箱体１１の上部開口を覆うものである。この屋根体１２は、図６に展開状態で示すように、屋根頂部４４の両側に四角形状の前記屋根面部１８が連設され、これらの屋根面部１８の図６における上下辺に、第１係止部４１が対向して折り曲げ可能に連設され、この第１係止部４１に、係止片４３を備えた第２係止部４２が折り曲げ可能に連設される。また、屋根面部１８の一方には屋根差込用スリット４５が設けられている。
【００３０】
図１０に示すように、屋根頂部４４が最も高い位置となるように、この屋根頂部４４を折り曲げて屋根面部１８を傾斜させる。次に、図１１に示すように、第１係止部４１を屋根面部１８に対して、また、第２係止部４２を第１係止部４１に対してそれぞれ内側に約９０度折り曲げ、第２係止部４２の係止片４３を箱体１１における正面部１５の係止用スリット３３と背面部１６の係止用スリット３９にそれぞれ差し込んで係止させる。これにより、屋根体１２が箱体１１に組み付けられる。この屋根体１２の組み付け状態で、屋根体１２の屋根面部１８は、箱体１１における接触片２９、３６及び２４に面接触して、正面部１５、背面部１６及び側面部１６に支持される。
【００３１】
また、屋根面部１８の一方に前記模擬煙突体１３が突設される。この模擬煙突体１３は、図７に展開状態で示すように、四角形状の頂部４６の各辺に立設面部４７が折り曲げ可能に連設され、これらの各立設面部４７に差込片４８が連設されたものである。図１１に示すように、立設面部４７を頂部４６に対して折り曲げて箱形状の模擬煙突体１３を構成し、この模擬煙突体２３の差込片４８を一方の屋根面部１８の屋根差込用スリット４５に差し込む。これにより、模擬煙突体１３が屋根体１２の屋根面部１８から突設される。
【００３２】
このように構成された屋根体１２では、図１及び図２に示すように、最も高い位置にある屋根頂部４４と、屋根面部１８に突設された模擬煙突体１３の頂部４６とが同一高さに設定される。従って、ペット小屋１０上に同一形状の他のペット小屋１０やペットベット４９などの被載置物が載置可能となり、このとき、同一高さの屋根頂部４４と模擬煙突体１３の頂面４６とにより、被載置物を２箇所で水平状態に支持することが可能となる。
【００３３】
尚、屋根体１２の屋根面部１８に模擬煙突体１３を装着した後、屋根面部１８のコーナー部分に、図１１に示す屋根補強プレート５０が接着される。この屋根補強プレート５０は、箱体１１の正面部１５側と背面部１６側とが屋根体１２から突出して屋根面部１８の外面に接着された後、この突出部分が内側に折り曲げられて屋根面部１８の内面に接着される。屋根面部１８のコーナー部分に屋根補強プレート５０が接着されることによって、屋根面部１８のコーナー部分が、ペットの引っ掻きや噛り付きなどから保護される。
【００３４】
以上のように構成されたことから、上記実施の形態によれば、次の効果（１）〜（７）を奏する。
【００３５】
（１）屋根体１２では、図１に示すように、最も高い位置にある屋根頂部４４と、屋根面部１８に突設された模擬煙突体１３の頂部４６とが同一高さに設定されたことから、これらの屋根頂部４４と模擬煙突体１３の頂部４６とによって、被載置物（他のペット小屋１０またはペットベット４９など）を２箇所で支持できるので、他のペット小屋１０を含む上記被載置物を水平状態に積み上げて良好に載置できる。この結果、ペット小屋１０の上部空間を有効に利用できる。
【００３６】
（２）箱体１１の正面部１５、背面部１６、側面部１７のそれぞれに接触片２９、３６、２４(図１０参照)が連設されることから、これらの接触片２９、３６、２４が正面部１５、背面部１６、側面部１７のそれぞれに対し折り曲げられて存在することによって、これらの正面部１５、背面部１６及び側面部１７の接触片近傍部分の強度を増大させることができる。この結果、屋根体１２に載置された被載置物の荷重が上記屋根体１２を介して正面部１５、背面部１６及び側面部１７に作用したときに、これらの正面部１５、背面部１６及び側面部１７に撓みや座屈等の変形が発生することを防止できる。
【００３７】
（３）箱体１１の正面部１５、背面部１６、側面部１７のそれぞれに接触片２９、３６、２４が連設され、屋根体１２がこれらの接触片２９、３６及び２４に面接触して正面部１５、背面部１６及び側面部１７に支持されたことから、屋根体１２に載置された被載置物の荷重が上記面接触により箱体１１の正面部１５、背面部１６、側面部１７にそれぞれ均一に作用するので、これらの正面部１５、背面部１６及び側面部１７に撓みや座屈等の変形が発生することを確実に防止できる。
【００３８】
（４）屋根体１２の互いに対向する位置に設けられた各係止片４３が箱体１１の正面部１５の係止用スリット３３、背面部１６の係止用スリット３９のそれぞれに係止されることから、屋根体１２の箱体１１に対する水平方向の位置ずれや浮上りを防止できる。
【００３９】
（５）屋根体１２の互いに対向する位置に設けられたそれぞれの第１係止部４１及び第２係止部４２が内側に折り曲げられ(図１１参照)、第２係止部４２に連設された係止片４３が箱体１１の正面部１５の係止用スリット３３、背面部１６の係止用スリット３９に係止されることから、この折り曲げられた第１係止部４１及び第２係止部４２により、屋根体１２が厚く見えるので、ペット小屋１０を正面部１５側または背面部１６側から目視したときの外観を向上させることができる。
【００４０】
（６）箱体１１における正面部１５及び背面部１６とこれらに隣接する側面部１７とが、図９に示すように、接触片２９、３６及び２４付近において、結合片３５及び４０を介して互いに結合されることから、正面部１５の差込片３１及び背面部１６の差込片３８と共に箱体１１の強度（剛性）を高めることができ、更に、正面部１５、背面部１６、側面部１７にそれぞれ連設した接触片２９、３６、２４を略面一状態に保持できる。接触片２９、３６、２４が略面一状態に保持されるので、接触片２９、３６、２４による屋根体１２の面接触を良好に確保できる。
【００４１】
（７）箱体１１の正面部１５は出入開口１９の存在により強度が低下するが、この正面部１５における出入開口１９の周囲に補強部材３４が接着されることから、当該正面部１５の強度が増大して、屋根体１２に載置される被載置物の荷重が正面部１５に作用したときにも、この正面部１５の変形を防止できる。
［Ｂ］第２の実施の形態（図１２）
図１２は、（Ａ）が本考案に係るペット小屋の第２の実施の形態、（Ｂ）が上記第２の実施の形態の変形例をそれぞれ示す正面図である。この第２の実施の形態において、前記第１の実施の形態と同様な部分は、同一の符号を付すことにより説明を省略する。
【００４２】
この第２の実施の形態のペット小屋５５が第１の実施の形態のペット小屋１０と異なる点は、このペット小屋５５における屋根体５６の屋根頂部５７が水平な平坦面に構成された点である。また、第２の実施の形態の変形例のペット小屋５８は、水平な平坦面に構成された屋根頂部５７に対し片側のみに屋根面部１８が配置されて、屋根体５９が構成されたものである。
【００４３】
従って、これらのペット小屋５５及び５８によれば、屋根体５６または５９の屋根頂部５７と模擬煙突体１３の頂部４６とが同一高さに設定されると共に、上記屋根頂部５７が水平な平坦面に設けられたことから、被載置物を模擬煙突体１３の頂部４６と、水平な平坦面形状の上記屋根頂部５７とで支持できるので、被載置物を安定して良好に載置できる。
【００４４】
その他の点について、第２の実施の形態のペット小屋５５および変形例のペット小屋５８は、前記第１の実施の形態のペット小屋１０と同様に構成されるので、前記第１の実施の形態の効果（２）〜（７）と同様な効果を奏する。
［Ｃ］第３の実施の形態（図１３）
図１３は、本考案に係るペット小屋の第３の実施の形態を示し、（Ａ）が正面図、（Ｂ）が側面図である。この第３の実施の形態において、前記第１の実施の形態と同様な部分は、同一の符号を付すことにより説明を省略する。
【００４５】
この第３の実施の形態のペット小屋６０が、第１の実施の形態のペット小屋１０と異なる点は、屋根体１２における屋根頂部４４に対し片側の同一の屋根面部１８に、複数の突出部材、例えば模擬煙突体１３と出窓６１が突設され、この模擬煙突体１３の頂面４６と出窓６１の頂部６２とが、屋根頂部４４と同一高さに設定された点である。尚、上記出窓６１は、出窓開口６３が設けられて、ペット小屋６０の内部と外部とを連通するものであってもよく、また、ペット小屋６０の内部と外部を連通しない、模擬煙突体１３と同様な構成の模擬出窓であってもよい。
【００４６】
従って、この第３の実施の形態のペット小屋６０によれば、屋根体１２には、屋根頂部４４に対し片側に配置された同一の屋根面部１８に模擬煙突体１３及び出窓６１が突設され、模擬煙突体１３の頂部４６と出窓６１の頂部６２とが屋根頂部４４と同一高さに設定されたことから、この屋根体１２に載置される被載置物を、屋根頂部４４と模擬煙突体１３の頂部４６と出窓６１の頂部６２とにより３箇所で支持できるので、被載置物を安定して良好に載置できる。
【００４７】
その他の点について、第３の実施の形態のペット小屋６０は、前記第１の実施の形態のペット小屋１０と同様に構成されるので、前記第１の実施の形態の効果（２）〜（７）と同様な効果を奏する。
［Ｄ］第４の実施の形態（図１４）
図１４は、本考案に係るペット小屋の第４の実施の形態を示す正面図である。この第４の実施の形態において、前記第１の実施の形態と同様な部分は、同一の符号を付すことにより説明を省略する。
【００４８】
この第４の実施の形態のペット小屋６５が、前記第１の実施の形態のペット小屋１０と異なる点は、屋根体１２における屋根頂部４４を挟む両側の屋根面部１８に突出部材がそれぞれ突設された点である。つまり、屋根面部１８の一方に１本または複数本の模擬煙突体１３が、他方に１個または複数個の出窓６１がそれぞれ突設されている。
【００４９】
従って、この第４の実施の形態のペット小屋６５によれば、屋根体１２には、屋根頂部４４を挟む両側の屋根面部１８に模擬煙突体１３と出窓６１がそれぞれ突設されたことから、この屋根体１２に載置される被載置物を、屋根頂部４４と模擬煙突体１３の頂部４６と出窓６１の頂部６２により３箇所以上で支持できるので、被載置物を安定して良好に載置できる。
【００５０】
その他の点について、この第４の実施の形態のペット小屋６５は、前記第１の実施の形態のペット小屋１０と同様に構成されるので、前記第１の実施の形態の効果（２）〜（７）と同様な効果を奏する。
［Ｅ］第５の実施の形態（図１５）
図１５は、本考案に係るペット小屋の第５の実施の形態を示す図であり、同一のペット小屋を積み重ねて載置した状態を示す正面図である。
【００５１】
この第５の実施の形態において、前記第１の実施の形態と同様な部分は、同一の符号を付すことにより説明を省略する。
【００５２】
図１５に示すように、この第５の実施の形態のペット小屋７０が、前記第１の実施の形態のペット小屋１０と異なる点は、屋根体１２における屋根面部１８に突設された突出部材としての模擬煙突体１３の頂部４６と屋根頂部４４との間で高低差Ｈを設けるとともに、箱体１１の底面部１４に高さＨでなる脚部１４ａを設けた点である。
【００５３】
従って、この第５の実施の形態のペット小屋７０によれば、この屋根体１２に同一のペット小屋７０を載置する場合において、載置されるペット小屋７０を、屋根頂部４４が載置されるペット小屋７０の底面部１４を支持し、模擬煙突体１３の頂部４６が載置されるペット小屋７０の脚部１４ａを支持できるので、同一のペット小屋７０を水平方向に安定して良好に積み重ねることが可能となる。
【００５４】
尚、脚部１４ａは、箱体１０と一体で構成してもよいし、別体で構成することも可能である。
【００５５】
その他の点について、この第５の実施の形態のペット小屋７０は、前記第１の実施の形態のペット小屋１０と同様に構成されるので、前記第１の実施の形態の効果（２）〜（７）と同様な効果を奏する。
【００５６】
以上、本発明を上記実施の形態に基づいて説明したが、本考案はこれに限定されるものではない。
【図面の簡単な説明】
【００５７】
【図１】本考案に係るペット小屋の第１の実施の形態を示す図であり、（Ａ）が正面図、（Ｂ）が他のペット小屋を積み重ねて載置した状態を示す正面図、（Ｃ）がペットベッドなどを積み重ねて載置した状態を示す正面図である。
【図２】図１のペット小屋を示す斜視図である。
【図３】図２の箱体を構成する本体を示す展開図である。
【図４】図２の箱体を構成する正面板を示す展開図である。
【図５】図２の箱体を構成する背面板を示す展開図である。
【図６】図２の屋根体を示す展開図である。
【図７】図２の模擬煙突体を示す展開図である。
【図８】図２の箱体の組立手順を示す斜視図である。
【図９】図８の如く組み立てられた箱体において接触片を折り曲げる手順を示す斜視図である。
【図１０】図９の箱体に屋根体を組み付ける手順を示す斜視図である。
【図１１】図９の箱体に屋根体及び模擬煙突体等を組み付ける手順を示す斜視図である。
【図１２】（Ａ）は、本考案に係るペット小屋の第２の実施の形態を示す図、（Ｂ）は、上記第２の実施の形態の変形例をそれぞれ示す正面図である。
【図１３】本考案に係るペット小屋の第３の実施の形態を示す図、（Ａ）が正面図、（Ｂ）が側面図である。
【図１４】本考案に係るペット小屋の第４の実施の形態を示す正面図である。
【図１５】本考案に係るペット小屋の第５の実施の形態を示す図であり、同一のペット小屋を積み重ねて載置した状態を示す正面図である。
【符号の説明】
【００５８】
１０  ペット小屋
１１  箱体
１２  屋根体
１３  模擬煙突体（突出部材）
１４  底面部
１４ａ  脚部
１５  正面部
１６  背面部
１７  側面部
１８  屋根面部
１９  出入開口
２４、２９、３６  接触片
２５  折曲片
２６  結合用スリット
３３、３９  係止用スリット
３４  補強部材
３５、４０  結合片
４１  第１係止部
４２  第２係止部
４３  係止片
４４  屋根頂部
４６  模擬煙突体の頂部
５５、５８、６０、６５、７０  ペット小屋
５７  屋根頂部
６１  出窓（突出部材）
【図１】
0003102870.tif 000003
【図２】
0003102870.tif 000004
【図３】
0003102870.tif 000005
【図４】
0003102870.tif 000006
【図５】
0003102870.tif 000007
【図６】
0003102870.tif 000008
【図７】
0003102870.tif 000009
【図８】
0003102870.tif 000010
【図９】
0003102870.tif 000011
【図１０】
0003102870.tif 000012
【図１１】
0003102870.tif 000013
【図１２】
0003102870.tif 000014
【図１３】
0003102870.tif 000015
【図１４】
0003102870.tif 000016
【図１５】
0003102870.tif 000017